(57)【要約】【課題】台所で発生する生ごみの水切りを十分行うことができ、水切り後に水が再付着することが無く、よく脱水した状態で、燃えるごみ用袋へ廃棄することのできる生ごみ収納袋水切り具を提供する。【解決手段】ステンレス線材を折り曲げて作ったスタンド１および折り畳み脚２とで構成され、折り畳み脚２は、ヒンジ部３によりスタンド１の中途部に開閉可能に取り付けられている。スタンド１の上部の横棒１ｂには、Ｓ字状フック４が複数掛けられており、複数の生ごみ収納袋５を吊り下げることができるようにしている。生ごみの入った生ごみ収納袋５を吊り下げることで、生ごみ収納袋５の下部に空けた穴から水が流れ落ち、所定時間経過すれば、水切りが進行して、燃えるごみ用袋に入れてもいい状態に脱水される。【選択図】図１
0003140460.tif 000002
【実用新案登録請求の範囲】
【請求項１】
台所のシンクに載置可能なスタンドの上部に、生ごみ収納袋の上部を突き刺した状態で吊すためのフックを取り付けたことを特徴とする生ごみ収納袋水切り具。
【請求項２】
前記スタンドは、平らに折り畳み可能である請求項１記載の生ごみ収納袋水切り具。
【請求項３】
前記スタンドは、線材を折り曲げて作られている請求項１または２に記載の生ごみ収納袋水切り具。
【請求項４】
前記スタンドの下部には、台所のシンクの面に点接触する突部が形成されている請求項１から３のいずれかの項に記載の生ごみ収納袋水切り具。
【考案の詳細な説明】
【技術分野】
【０００１】
本考案は、主に台所で発生する生ごみを収納する袋をごみ出しする場合に、十分な水切りを行う器具に関する。
【背景技術】
【０００２】
家庭の台所で発生する野菜、その他の食材等のゴミは、一般的には三角コーナーと称する三角形のザル状の容器に仮に溜めておき、よく水を切ってからごみ袋に入れ、定例のごみ出し日に、所定のごみ置き場に出している。
【０００３】
ところが、三角コーナーに入れたごみは、一旦水切りができても、次にシンクを使うときの水のしぶきや新たなごみを入れることによってまた濡れてしまい、水切りの機能が十分に果たされない。
【０００４】
特許文献１には、扇状の輪郭の枠に、上部が突き出るように三本の支柱を固定した底なし三角コーナーが開示されている。この底なし三角コーナーに、底の部分と横の一部に穴が空いた水切りの出来るビニール袋（市販の物）を、３カ所の支柱の突き出た処に引っかけて吊すだけにして、底の部分を無くすことにより、汚れるスペースを無くし、ゴミを処理した後もそのままでも綺麗である、としている。
【０００５】
特許文献２には、ツバ付帯枠底丸水切籠に付いた差込Ｖ足長を、シンク壁面に吸盤で取り付けたＬ型フックに差し込んで使用したり、ラインに取り付けた球又は突起足と差込Ｖ長足で、シンクの底部に置いて使用するようにしたコーナー水切りカゴが記載されている。
【０００６】
特許文献３には、シンクのコーナーに取り付ける生ゴミ入れの機能を、シンクのコーナーに沿ったカーブを描くフレームと、シンクのコーナーの壁にフレームを固定するための吸盤と、生ゴミを入れる部位となり使い捨てできる市販の水切り袋と、水切り袋をフレームの上部に挟んで止めるクリップによって構成され、水切り袋や紙パックの口を開閉可能とする袋とじロックがクリップ上部中央に付いているコーナー水切り袋支持具が記載されている。
【０００７】
【特許文献１】特開２００１−３３５１０４号公報
【特許文献２】特開２００３−２０１００２号公報
【特許文献３】特開２００７−２０４２３３号公報
【考案の開示】
【考案が解決しようとする課題】
【０００８】
前掲の特許文献１に記載された底なし三角コーナーは底がないのでビニール袋は三角コーナーに付着しないが、ビニール袋自体が台所のシンクの底部に触れるため、ビニール袋内部の生ごみを十分に水切りできないという問題がある。
【０００９】
特許文献２に記載されたコーナー水切りカゴでは、ツバ付帯枠底丸水切籠に直接生ごみを入れるので、ツバ付帯枠底丸水切籠がシンクの底部から浮いているといっても、水の飛びはねにより生ごみはなかなか水切りができない。
【００１０】
特許文献３に記載されたコーナー水切り袋支持具では、市販の水切り袋を開口する袋とじロックを設けて水切り袋をシンクのコーナー部に着脱可能に取り付けるようにしているが、特許文献１と同様に、ビニール袋自体が台所のシンクの底部に触れるため、ビニール袋内部の生ごみを十分に水切りできないという問題がある。
【００１１】
家庭から出る生ごみは、通常は自治体が指定する「燃えるごみ用袋」に入れてごみ出し日に出すようになっている。しかし、生ごみ中に水分が多く含まれていると、ごみ焼却設備における燃費がかさみ、エネルギーの損失と共に、地球温暖化の一因ともなる。さらに、焼却まで生ごみを放置していると腐敗が進み、悪臭の原因ともなる。
【００１２】
そこで本考案は、台所で発生する生ごみの水切りを十分行うことができ、水切り後に水が再付着することが無く、よく脱水した状態で燃えるごみ用袋へ廃棄することのできる生ごみ収納袋水切り具を提供することを目的とする。
【課題を解決するための手段】
【００１３】
前記課題を解決するため、本考案の生ごみ収納袋水切り具は、台所のシンクに載置可能なスタンドの上部に、生ごみ収納袋の上部を突き刺した状態で吊すためのフックを取り付けたことを特徴とする。
本考案においては、既存の三角コーナー等のごみ容器の内側にネット状の水切り袋を敷いておき、調理や後片付けの際に発生する生ごみを三角コーナー等のごみ容器に入れる。生ごみを出すときは、数時間前か前日に水切り袋をごみ容器から取り出し、水切り袋ごと生ごみ収納袋に入れ、本考案の生ごみ収納袋水切り具を台所のシンクに載置して、フックに生ごみ収納袋の上部を突き刺して吊す。このとき、生ごみ収納袋の下部か隅を鋏か包丁等の刃物で切って穴を空けておく。生ごみ収納袋の上部をフックに吊すことにより、生ごみ収納袋内の生ごみは縦長になり、上部の生ごみの水滴は生ごみを伝って生ごみ収納袋の下部に集められ、下部の穴から流れ落ちるようになる。生ごみ自体は、一定以上は水分を吸収できないため、上から落ちてきた水は生ごみをそれ以上濡らすことなく、下に導くことになる。生ごみ収納袋は、手で外から押し付けるか握ることにより、生ごみ収納袋内の生ごみから水分を効率的に絞り出すことができる。吊してから３０分程度過ぎてから再び生ごみ収納袋を手で絞ると更に効率的である。数時間ないし半日放置することにより、水は流れ落ち、水切りされるので、生ごみ収納袋を、別の穴のあいていないビニール袋等に入れ、その上部を縛って「燃えるごみ用袋」に投げ入れることにより、焼却時の燃料の浪費を抑えることができ、また生ごみが腐敗して悪臭が発生することも抑えることができる。
【００１４】
前記スタンドは、平らに折り畳み可能とすると、使用しないときにスペースをとらず、また輸送時に嵩張ることがない。
前記スタンドは、線材を折り曲げて作ることにより、軽量化が図られ、コストも安価となる。
前記スタンドの下部には、台所のシンクの面に点接触する突部を形成することにより、濡れたり汚れる箇所が少なくなり、その箇所を洗うことで清潔に保つことができる。
【考案の効果】
【００１５】
本考案によれば、台所のシンクに載置可能なスタンドの上部に、生ごみ収納袋の上部を突き刺した状態で吊すためのフックを取り付けたことにより、台所で発生する生ごみの水切りを十分行うことができ、水切り後に水が再付着することが無く、よく脱水した状態でごみ収集袋へ廃棄することができる。
【考案を実施するための最良の形態】
【００１６】
以下、本考案の実施の形態を、図面を用いて説明する。
図１は本考案の実施の形態に係る生ごみ収納袋水切り具の斜視図、図２は折り畳んだ状態を示すもので、（ａ）は正面図、（ｂ）は側面図である。図３は、本実施の形態において、生ごみ収納袋を吊している状態を示す斜視図である。
【００１７】
これらの図に示されているように、本実施の形態の生ごみ収納袋水切り具は、ステンレス線材を折り曲げて作ったスタンド１および折り畳み脚２とで構成され、折り畳み脚２は、ヒンジ部３によりスタンド１の中途部に開閉可能に取り付けられている。ヒンジ部３は、スタンド１に固定されたヒンジ板３ａと、折り畳み脚２の上端部に固定されたヒンジ駒３ｂとを軸３ｃで回転自在に取り付けたものであり、ヒンジ駒３ｂの上部がスタンド１の中途部に当たることによりそれ以上折り畳み脚２が開かないようにストッパの役目を持たせている。
【００１８】
スタンド１と折り畳み脚２の下部は、台所のシンクに置いたときに全体が濡れたり汚れたりしないように、折り曲げて突部１ａ，２ａとしている。スタンド１の上部の横棒１ｂには、Ｓ字状フック４が複数掛けられており、複数の生ごみ収納袋５を吊り下げることができるようにしている。なお、Ｓ字状フック４は横棒１ｂの長手方向に移動できるが、角を回ってスタンド１の垂直部に移動しないように、スタンド１の垂直部よりも下方に横棒１ｂが溶接により取り付けられている。
【００１９】
なお、本実施の形態では、スタンド１の両側の垂直部は、上方が互いに内側に曲げられて平行になっていないが、これは、Ｓ字状フック４に生ごみ収納袋５を掛けたときに、重心が内側に寄るようにし、スタンド１の安定性を持たせるようにしたものである。
【００２０】
以上の構成の生ごみ収納袋水切り具の使用方法について説明する。
既存の三角コーナー等のごみ容器（図示せず）の内側にネット状の水切り袋（図示せず）を敷いておき、調理や後片付けの際に発生する生ごみを三角コーナー等のごみ容器に入れる。生ごみを出すときは、数時間前か前日に水切り袋を三角コーナー等のごみ容器から取り出し、水切り袋ごと生ごみ収納袋５に入れ、折り畳み脚２を開いてスタンド１を台所のシンクに載置し、Ｓ字状フック４に生ごみ収納袋５の上部を突き刺して吊す。このとき、図３に示すように、生ごみ収納袋５の下部か隅を鋏か包丁等の刃物で３ｃｍほど切って排水穴５ａを空けておく。
【００２１】
生ごみ収納袋５の上部をＳ字状フック４に吊すことにより、生ごみ収納袋５内の生ごみは縦長になり、上部の生ごみの水滴は生ごみを伝って生ごみ収納袋５の下部に集められ、下部の排水穴５ａから流れ落ちるようになる。生ごみ自体は、一定以上は水分を吸収できないため、上から落ちてきた水は生ごみをそれ以上濡らすことなく、下に導かれる。生ごみ収納袋５は、手で外から押し付けるか握ることにより、生ごみ収納袋５内の生ごみから水分を効率的に絞り出すことができる。吊してから３０分程度過ぎてから再び生ごみ収納袋５を手で絞ると更に効率的である。数時間ないし半日放置することにより、水は流れ落ち、脱水されるので、生ごみ収納袋５を、別の穴の空いていないビニール袋等に入れ、その上部を縛って「燃えるごみ用袋」に投げ入れる。
【００２２】
このようにして、従来においては、水が滴り落ちる状態の生ごみを燃えるごみ用袋に入れていたのに対し、生ごみの水切りを十分行うことができ、水切り後に水が再付着することが無く、よく脱水した状態で、燃えるごみ用袋へ廃棄することができる。
【００２３】
なお、本実施の形態では、スタンド１や折り畳み脚２をステンレス線材で構成した例を示したが、ビニール被覆線材を用いることによりカラフルにできるし、ステンレスでなく針金でも、錆びにくくなる。ヒンジ部３は、図示の例に限定されるものではなく、ストッパ機能があれば、他の構造でも良い。プラスチックで構成することもできる。
また、本実施の形態では、折り畳みできるようにしたが、固定式でも使用することができる。
【産業上の利用可能性】
【００２４】
本考案は、台所で発生する生ごみの水切りを十分行うことができ、水切り後に水が再付着することが無く、よく脱水した状態で、燃えるごみ用袋へ廃棄することのできる生ごみ収納袋水切り具として、特に家庭で好適に利用することができる。
【図面の簡単な説明】
【００２５】
【図１】本考案の実施の形態に係る生ごみ収納袋水切り具の斜視図である。
【図２】本考案の実施の形態に係る生ごみ収納袋水切り具の折り畳んだ状態を示すもので、（ａ）は正面図、（ｂ）は側面図である。
【図３】本考案の実施の形態において、生ごみ収納袋を吊している状態を示す斜視図である。
【符号の説明】
【００２６】
１  スタンド
１ａ  突部
１ｂ  横棒
２  折り畳み脚
２ａ  突部
３  ヒンジ部
３ａ  ヒンジ板
３ｂ  ヒンジ駒
３ｃ  軸
４  Ｓ字状フック
５  生ごみ収納袋
５ａ  排水穴
【図１】
0003140460.tif 000003
【図２】
0003140460.tif 000004
【図３】
0003140460.tif 000005